(57)【要約】【課題】本発明は、通常の押圧操作力をもって押しボタン操作を行う場合は勿論のこと、たとえ衝撃力がかかっても、機能的に何ら損なわれることなく、常に信頼性を確保できるエレベータ用の押しボタンスイッチを提供する。【解決手段】壁面ａの開口部ｂに設置されるエレベータ用の押しボタンスイッチであって、操作者による押圧操作によって壁面に対して沈降するように設けられた押しボタン部Ｐと、沈降した押しボタン部が当接したことを受けてスイッチ動作するように設けられエレベータの動作を制御する回路を備えたスイッチ端子部Ｔとを有し、このスイッチ端子部は押しボタン部の当接によって受ける圧力に応じて壁面から離間する方向に移動可能に設けられる。【選択図】      図１
2004182396.tif 000002
【特許請求の範囲】
【請求項１】
壁面の開口部に設置されるエレベータ用の押しボタンスイッチであって、
操作者による押圧操作によって前記壁面に対して沈降するように設けられた押しボタン部と、
沈降した前記押しボタン部が当接したことを受けてスイッチ動作するように設けられエレベータの動作を制御する回路を備えたスイッチ端子部と、を有し、
前記スイッチ端子部は、前記押しボタン部の当接によって受ける圧力に応じて、前記壁面から離間する方向に移動可能に設けられることを特徴とする押しボタンスイッチ。
【請求項２】
壁面の開口部に設置されるエレベータ用の押しボタンスイッチであって、
ばね性部材によって支持されており、操作者による押圧操作によって前記壁面に対して沈降するように設けられた押しボタン部と、
沈降した前記押しボタン部が当接したことを受けてスイッチ動作するように設けられエレベータの動作を制御する回路を備えたスイッチ端子部と、を有し、
前記押しボタン部の沈降量に応じて、前記ばね性部材のばね定数が増加するように設けられることを特徴とする押しボタンスイッチ。
【請求項３】
壁面の開口部に設置されるエレベータ用の押しボタンスイッチであって、
ばね性部材によって支持されており、操作者による押圧操作によって前記壁面に対して沈降するように設けられた押しボタン部と、
前記壁面に相対的に固定され、前記押しボタン部の移動方向が所定方向となるよう規制するガイド体と、
スイッチ本体と、このスイッチ本体を支持するとともに前記スイッチ本体からの電気信号を伝達する配線を有する回路基板とを有し、前記ガイド体により移動の方向を所定方向となるよう規制されるスイッチ端子部と、
前記押しボタン部と前記スイッチ端子部との間に介挿される第１のばね体と、
前記ガイド体の終端部と前記スイッチ端子部との間に介挿され、少なくとも前記第１のばね体よりも大きいばね定数に設定されている第２のばね体と、
を具備することを特徴とする押しボタンスイッチ。
【請求項４】
壁面の開口部に設置されるエレベータ用の押しボタンスイッチであって、
操作者によって圧力を加えられ、前記圧力に応じて所定方向に移動する押しボタン部と、
前記壁面に相対的に固定され、前記押しボタン部の移動の方向が所定方向となるよう規制するガイド体と、
スイッチ本体と、このスイッチ本体を支持するとともに前記スイッチ本体からの電気信号を伝達する配線を有する回路基板とを有するスイッチ端子部と、
前記押しボタン部と前記スイッチ端子部との間に介挿され、押しボタン部の沈降量に応じてばね定数が増加するばね性部材と、
を具備することを特徴とする押しボタンスイッチ。
【請求項５】
壁面の開口部に設置されるエレベータ用の押しボタンスイッチであって、
利用者によって圧力を加えられ、前記圧力に応じて所定方向に移動する押しボタン部と、
前記壁面に相対的に固定され、前記押しボタン部の移動方向が所定方向となるよう規制するガイド体と、
スイッチ本体と、このスイッチ本体を支持するとともに前記スイッチ本体からの電気信号を伝達する配線を備えた回路基板とを有するスイッチ端子部と、
前記押しボタン部の沈降に応じて順次当接し、前記押しボタン部に反力を付与するよう配置される互いに長さの異なる複数のばね性部材と、
を具備することを特徴とする押しボタンスイッチ。
【発明の詳細な説明】
【０００１】
【発明の属する技術分野】
本発明は、エレベータ用の押しボタンスイッチに係り、特に衝撃力を受けた状態でも、その衝撃力を緩和する緩衝構造に関する。
【０００２】
【従来の技術】
特許公報１にあるように、エレベータの乗り場壁面に取付けられる、エレベータ用の押しボタンスイッチが知られている。
【０００３】
【特許公報１】
特開２００１−９３３７６（請求項１、図１参照）
図６は、エレベータ装置の概略の斜視図である。
乗員を収容するかごＫの壁面には、複数の押しボタンスイッチＳを備えた操作盤Ｗが取付けられる。この押しボタンスイッチＳを人が押圧操作することで、押しボタンが沈降し、スイッチが開いて行き先階の表示や昇降方向が選択され、もしくは扉体Ｔの開閉がなされる。
【０００４】
前記エレベータ用押しボタンスイッチＳは、図示しないが、建造物内部のエレベータ乗り場の壁面にも取付けられていて、人が押圧操作することにより前記と同様の機能を有する。
【０００５】
図５（Ａ）は、上記特許公報１とは別の、従来より用いられるエレベータ用の押しボタンスイッチＳの構成を説明する概略の断面図である。
前記壁面ａに設けられる開口部ｂに、半透明材からなるキートップ部ｃが嵌め込まれ、このトップ面ｄが壁面ａから露出する。前記キートップ部ｃの裏面側に半透明材からなるスライドプレートｅが密着して取付けられる。
【０００６】
これらキートップ部ｃとスライドプレートｅは枠状のフレーム体ｆ内に、ばね体ｇを介して弾性的に支持される。前記フレーム体ｆの底面は回路基板ｍからなっていて、この回路基板のほぼ中央部にスイッチ本体ｈが配置され、この両側部には光源としての複数の発光部ｉが配置される。
【０００７】
前記複数の発光部ｉは、たとえば同色のＬＥＤが用いられ、かつスイッチ本体ｈはスライドプレートｅの裏面に一体に突設される作動杆ｊの端面と対向した位置に取付けられる。
【０００８】
前記キートップ部ｃが押圧されると同時にスライドプレートｅが変位し、作動杆ｊがスイッチ本体ｈに接触する。スイッチオンの状態となり、制御部から必要な信号が所定の部位へ送られる一方で、複数の発光部ｉが点灯する。
【０００９】
【発明が解決しようとする課題】
通常の押圧操作力をもってキートップ部ｃを押圧操作すれば何らの問題もない。また、人によってはある程度強い力で押圧する場合もあるが、それなりの安全率をもって設計されているので、問題が少ない。
【００１０】
しかしながら、故意に、たとえば傘などの先端でキートップ部ｃを強く突く場合がある。キートップ部ｃは強大な衝撃力を受け、スライドプレートｅ、フレーム体ｆおよびスイッチ本体ｈに強く当たって衝撃力を伝達する。
【００１１】
図５（Ｂ）は、傘Ｚなどを用いてキートップ部ｃに衝撃力を付与した状態を示していて、ばね体ｇが容易に弾性変形してスライドプレートｅがフレーム体ｆに激突し、作動杆ｊがスイッチ本体ｈに衝撃力を伝達する。
【００１２】
少なくとも、スイッチ本体ｈにおいて損傷する可能性は高く、事後のスイッチ動作が不確実になり、信頼性が損なわれてしまう場合がある。従来のエレベータ用押しボタンスイッチでは、このような衝撃力を受けた場合での損傷を避けることが困難な構造になっている。
【００１３】
本発明は前記事情に着目してなされたものであり、その目的とするところは、通常の押圧操作力をもって押しボタン操作を行う場合は勿論のこと、たとえ衝撃力がかかっても、機能的に何ら損なわれることなく、常に信頼性を確保できるエレベータ用押しボタンスイッチを提供しようとするものである。
【００１４】
【課題を解決するための手段】
本発明は前記目的を満足するためになされたものであり、壁面の開口部に設置されるエレベータ用の押しボタンスイッチであり、操作者の押圧操作によって壁面に対して沈降するように設けられた押しボタン部と、沈降した押しボタン部が当接したことを受けてスイッチ動作するように設けられエレベータ動作を制御する回路を備えたスイッチ端子部とを有し、このスイッチ端子部は押しボタン部の当接によって受ける圧力に応じて壁面から離間する方向に移動可能である。
【００１５】
【発明の実施の形態】
以下、本発明の実施の形態を図面にもとづいて説明する。
図１（Ａ）（Ｂ）は、第１の実施の形態の緩衝機構を備えた同じエレベータ用押しボタンスイッチの概略の縦断面図であって、図１（Ａ）は通常の操作状態を示し、図１（Ｂ）は故意に衝撃力がかかった状態を示している。
【００１６】
この押しボタンスイッチは、先に図６で説明したようにエレベータのかご壁面ａなどに取付けられる。
すなわち、壁面ａの開口部ｂと対向する開口部１ａを備えた枠状のフレーム体１が壁面の内側に取付けられる。フレーム体１の開口部１ａと対向する底面部はスイッチ端子部Ｔとして別体で構成され、フレーム体１に設けられる後述する緩衝機構３を介して支持される。
【００１７】
前記フレーム体１の開口部１ａおよび壁面ａの開口部ｂを介して、押しボタン部Ｐを構成するキートップ部４のトップ面４ａが壁面ａに対して突出し、かつ沈降自在に支持される。
【００１８】
このキートップ部４は、半透明の合成樹脂材が用いられ、前記開口部ｂに嵌め込まれる段部４ｂと、開口部ｂ裏面側周辺に対向するフランジ部４ｃとの二段状をなす。
【００１９】
前記キートップ部４の裏面側には、透明の合成樹脂材からなる導光板５が密着して取付けられる。この導光板５は、キートップ部４との密着面と対向する面５ａが傾斜形成される。
【００２０】
したがって、導光板５は一側部が厚く、他側部に亘って漸次薄くなる。この導光板５の傾斜面５ａは、側面部５ｂから照射される光をキートップ部４側へ反射する反射面となっている。そのため、導光板５の反射面は、粗面化処理がなされ、あるいはフレネル（格子状）レンズからなる。
【００２１】
この導光板５と前記キートップ部４とは一体になって前記押しボタン部Ｐを構成しており、操作者の押圧操作および押圧力に応じて壁面ａに対して沈降するようになっている。
【００２２】
導光板５の少なくとも左右両側部（全周辺であってもよい）はキートップ部４の左右両側端面よりも外側に突出する大きさに形成され、これら突出部５ｃの所定部位に孔部が設けられる。それぞれの孔部には、前記緩衝機構３の一部を構成する円柱状のガイド体６が挿通している。
【００２３】
前記回路基板２上には、光源としての発光部７と、スイッチ本体８とが配置されていて、これらで前記スイッチ端子部Ｔが構成される。
前記回路基板２の表面には、発光部７とスイッチ本体８とを電気的に接続する電気回路がプリント配線されている。前記発光部７は、回路基板２の一側部で導光板５の側面部５ｂよりも外方に支持具９を介して取付けられている。この発光部７の発光方向は、導光板５の側面部５ｂに対向するよう向けられている。
【００２４】
前記スイッチ本体８は、回路基板２のほぼ中心位置に配置されていて、その作動子８ａは導光板５のほぼ中心部に対向して突出している。なお、上述したように導光板５のスイッチ本体作動子８ａとの対向面は傾斜面５ａである。
【００２５】
前記スイッチ本体８の作動子８ａは、押しボタン部Ｐが押圧されていないときに導光板５の傾斜面５ａと離間して、スイッチ本体８がオフ状態となる。また、二点鎖線で示すように、押しボタン部Ｐが押圧されると導光板５がスイッチ本体８に接触してオン状態になる。
【００２６】
一方、前記ガイド体６は、一端部がフレーム体１に取付けられ、中途部に前記回路基板２が挿通し、他端部に受けワッシャ１０とこれを支持する取付けねじ（ねじ体）１１が取付けられてなる。
【００２７】
そして、導光板５の突出部５ｃと回路基板２との間のガイド体６には、ばね性部材である第１のばね体１２が介在され、かつ回路基板２と受けワッシャ１０との間にもばね性部材である第２のばね体１３が介在される。
【００２８】
第１、第２のばね体１２，１３ともコイルスプリングからなり、第２のばね体１３のばね定数は、第１のばね体１２のばね定数よりも大であるものが選択されている。
【００２９】
したがって、互いに重ねられ一体化されて押しボタン部Ｐを構成しているキートップ部４と導光板５は、第１のばね体１２を介して回路基板２に弾性的に支持される。
【００３０】
そして、キートップ部４と導光板５および回路基板２は、第２のばね体１３を介して受けワッシャ１０と取付けねじ１１との間に弾性的に支持されることになる。
【００３１】
このようにしてエレベータ用の押しボタンスイッチが構成されていて、人が必要に応じて押しボタン部Ｐを押圧操作すると、キートップ部４とともに導光板５が第１のばね体１２の反力に抗して押圧されガイド体６に沿って移動する。
【００３２】
換言すれば、キートップ部４および導光板５は、ガイド体６に案内されて並行移動するので、キートップ部４の中心部分を押圧すれば勿論のこと、トップ面４ａの隅部分を押圧したとしても、トップ面４ａは壁面ａと常に並行な状態で移動する。
【００３３】
このように、キートップ部４に対する押圧操作位置が相違しても、キートップ部４と導光板５の姿勢が常に一定化して移動する。このとき、所定の変位量があれば、導光板５は確実にスイッチ本体８の作動子８ａに接触する。
【００３４】
スイッチ本体８はオン状態に切換り、発光部７が点灯して発光する。導光板５においては、この板厚に沿って光が導かれ、傾斜形成される反射面５ａにおいてほぼ直角方向に屈曲反射する。これら反射光は導光板５のキートップ部密着面を介してキートップ部４を透過し、このトップ面４ａから発光する。
【００３５】
なお、通常の操作力をもって押しボタン部Ｐを押圧操作する場合は勿論のこと、多少押しボタン部Ｐを強く押すようなことがあっても、第１のばね体１２は安全率を見込んだばね定数で設計されているので、これらの操作力を吸収し緩衝する。
【００３６】
押しボタン部Ｐへの押圧操作を解除すれば、第１のばね体１２の弾性復帰力が作用して導光板５ととともにキートップ部４が押上げられ、導光板はスイッチ本体８から離間する。
【００３７】
すなわち、再び元の状態に戻る。導光板５とキートップ部４の移動中も再びガイド体６に案内されるところから、押しボタン部Ｐの元の位置への移動は極めて円滑である。
【００３８】
故意に、たとえば傘などの先で押しボタン部Ｐを突付く場合がある。図１（Ｂ）に示すように、押しボタン部Ｐは通常の押圧操作力よりも強大な押圧力、すなわち衝撃力を受けることになる。
【００３９】
このとき、押しボタン部Ｐと回路基板２との間に介在される第１のばね体１２はさらに押し潰されて、キートップ部４と導光板５と第１のばね体１２および回路基板２が一体となって移動し、これらの一体化物は第２のばね体１３を衝撃的に押圧付勢する。
【００４０】
第２のばね体１３は強大な衝撃力を受けることで、一旦はばね長が短縮化するが、このような衝撃力に対する反力が作用するようなばね定数のものが選択されているので、この一体化物の衝撃を吸収し緩衝する。
【００４１】
導光板５とスイッチ本体８との間隔がそれ以上短縮することがなく、したがってスイッチ本体に加わる衝撃が低減され、スイッチ本体８の損傷を防止できる。このように、押しボタン部Ｐが衝撃力を受けてもスイッチ機能として何ら信頼性が損なわれることがない。
【００４２】
なお説明すれば、回路基板２がばね性を有する部材１２，１３で支持されていることにより、スイッチ端子部Ｔに配置されているスイッチ本体８のスイッチ動作を行うに充分な沈降量を得ている押しボタン部Ｐがさらに沈降しようとした際には、スイッチ端子部Ｔ自体が沈降し始めるために、スイッチ本体８の損傷を確実に防止することができる。
【００４３】
また、ばね定数を適当な値に調整することにより、静的に加えられた圧力による沈降動作では、押しボタン部Ｐとスイッチ本体８との接触を得ることができ、かつ急激に加えられた速い速度の沈降動作においては、押しボタン部Ｐとスイッチ本体８との接触を得ることができないように設定することが可能である。
【００４４】
つぎに、第２の実施の形態のエレベータ用の押しボタンスイッチを図２にもとづいて説明し、第３の実施の形態のエレベータ用の押しボタンスイッチを図３にもとづいて説明する。それぞれ、上述の実施の形態と同一部品については同番号を付して新たな説明を省略する。
【００４５】
図２（Ａ）に示すように、フレーム体１に対してスイッチ端子部Ｔを構成する回路基板２がガイド体６Ａを介して所定の間隙を存するように取付け固定されていて、ガイド体６Ａに緩衝機構３Ａとしてのばね性部材２０が介在される。
【００４６】
前記ばね性部材２０は、フレーム体１と回路基板２との間に介在されることになり、しかも第１のばね体１２Ａと第２のばね体１３Ａが一体に連結化された不等長ばねとなっている。
【００４７】
第１、第２のばね体１２Ａ，１３Ａとも、コイルスプリングからなり、第１のばね体１２Ａのばね定数よりも第２のばね体１３Ａのばね定数が大であるように構成される。
【００４８】
このような押しボタンスイッチであるから、通常の操作力もしくはある程度強い操作力で押しボタン部Ｐ４が押圧操作されると、図２（Ａ）に二点鎖線で示すように、キートップ部４および導光板５が第１のばね体１２Ａの反力に抗して移動し、スイッチ本体８の作動子８ａに接触してスイッチオンの状態となる。
【００４９】
このときの操作力が第２のばね体１２Ａにおける反力以下の操作力であれば、第２のばね体１２Ａにおいては何らの影響も受けることなく、その形態に変化がない。押しボタン部Ｐから操作力を除去すれば、第１のばね体１２Ａの反力が作用して、キートップ部４と導光板５が元の位置に戻る。
【００５０】
図２（Ｂ）は、たとえば傘などで押しボタン部Ｐを突付き、衝撃力を与えた状態を示している。このとき、第１のばね体１２Ａはさらに押し潰されて反力が全く作用しない。
【００５１】
したがって、キートップ部４と導光板５および第１のばね体１２Ａが、第２のばね体１３Ａを衝撃的に押圧付勢する。この第２のばね体１３Ａは衝撃力に対する反力が作用するような反発係数もしくはばね定数のものが選択されているので、衝撃を吸収し緩衝する。
【００５２】
導光板５とスイッチ本体８との間隔がそれ以上短縮することがなく、したがってスイッチ本体に衝撃が加わることがなく、スイッチ本体の損傷を防止できる。このように、押しボタン部Ｐが衝撃力を受けてもスイッチ機能として何ら信頼性が損なわれることがない。
【００５３】
図２（Ｃ）は、前記第１のばね体１２Ａと第２のばね体１３Ａを一体化した不等長ばね２０に係るばね特性を示している。ばね定数が小さい第１のばね体１２Ａでのストロークが最大限になる付近から、ばね定数が大きい第２のばね体１３Ａのストロークに引き継がれ、２段階のストロークとなる。
【００５４】
図３（Ａ）は、図２（Ａ）の構成と同様、フレーム体１に対してスイッチ端子部Ｔを構成する回路基板２がガイド体６Ｂを介して所定の間隙を存するように取付け固定される。そして、前記ガイド体６Ｂに緩衝機構３Ｂとしての第１、第２のばね体１２Ｂ，１３Ｂが介在される。
【００５５】
これら第１のばね体１２Ｂと第２のばね体１３Ｂは、フレーム体１と回路基板２との間に並行に介在される。それぞれのばね体１２Ｂ，１３Ｂはコイルスプリングからなり、第１のばね体１２Ｂのばね定数よりも第２のばね体１３Ｂのばね定数が大であるように設計されている。
【００５６】
なお説明すれば、前記ガイド体６Ｂは左右両側（もしくは全周辺に亘って）に複数本づつ設けられていて、たとえば１本置きのガイド体６Ｂに第１のばね体１２Ｂと第２のばね体１３Ｂが交互に取付けられる。あるいは、交互でかつ左右対称に取付けるようにしてもよい。
【００５７】
第１のばね体１２Ｂのばね長は導光板突出部５ｃと回路基板２との間隔と略同一もしくはこの間隔以上あって、ある程度短縮状態にして介挿される。これに対して第２のばね体１３Ｂのばね長は、導光板５がスイッチ本体８に接触した位置で、この突出部５ｃと回路基板２との間の距離と略同等とする。
【００５８】
このような押しボタンスイッチであるから、通常の操作力もしくはある程度強い操作力で押しボタン部Ｐが押圧操作されると、図３（Ａ）に二点鎖線で示すように、キートップ部４と導光板５が第１のばね体１２Ｂの反力に抗して移動し、スイッチ本体８の作動子８ａに接触してスイッチオンの状態となる。
【００５９】
このときの操作力が、第２のばね体１３Ｂにおける反力以下であれば、第２のばね体１３Ｂにおいて何らの影響も受けることなく、その形態の変化がない。押しボタン部Ｐから操作力を除去すれば、第１のばね体１２Ｂの反力が作用して、キートップ部４と導光板５が元の位置に戻る。
【００６０】
図３（Ｂ）は、たとえば傘などで押しボタン部Ｐを突付き、衝撃力を与えた状態を示している。このとき、第１のばね体１２Ｂはさらに押し潰されて反力が全く作用しない。
【００６１】
したがって、キートップ部４と導光板５が第２のばね体１３Ｂを衝撃的に押圧付勢する。この第２のばね体１３Ｂは衝撃力に対する反力が作用するようなばね定数のものが選択されているので、衝撃を吸収し緩衝する。
【００６２】
導光板５とスイッチ本体８との間隔がそれ以上短縮することがなく、したがってスイッチ本体に衝撃が加わることがなく、スイッチ本体８の損傷を防止できる。このように、押しボタン部Ｐが衝撃力を受けてもスイッチ機能として何ら信頼性が損なわれることがない。
【００６３】
なお説明すれば、長さが異なる複数のばね体１２Ｂ，１３Ｂを並列に配置し、押しボタン部Ｐが沈降していくにつれ接触して、押しボタン部Ｐに対して力を加えるばね体が増えていくように構成した。
【００６４】
そのため、操作者から見ると押しボタン部Ｐを押し込む量が大きいほどに見かけのばね定数を増大させることができるようになる。これによって、沈降量が少ない動作初期はボタンを押し込んでいるという操作感覚を操作者に与えることができる。
【００６５】
そして、沈降量を多くし、スイッチ本体８に対して当接させたあとに急激にばね定数を高く設定することができ、スイッチにかかる負担を同一のばね材で支え続ける従来の構成に比して軽減することができるようになる。
【００６６】
また、押しボタン部Ｐにかかる負担も移動を規制する構造部材で行う場合に比して軽減することができる。したがって、信頼性の高い押しボタンスイッチを提供することができるようになる。
【００６７】
図４は、従来構造と本発明構造における、押しボタンスイッチに対する操作量と操作力との比較と、操作量と衝撃力とを比較する図である。
すなわち、押しボタンスイッチに対する操作量と操作力については、スイッチオンの状態までは従来構造と本発明構造ともに互いに略同一の関係にあり、同一の操作力では同一のストロークとなる。
【００６８】
スイッチオンの位置を越えてからも操作力を付勢した場合は、従来構造ではある程度の範囲内でストロークが規制されるが、本発明構造では第１のばね体と第２のばね体の反力の設定にもとづいた操作力と、それにともなう衝撃力の変化を得られ、本発明構造での緩衝性が優れていることが分かる。
【００６９】
なお、本発明は上述の実施の形態に限定されるものではなく、本発明の要旨を変更しない程度に種々変形実施可能である。たとえば、ばね性部材はスポンジやゴムなどの弾性変形する他の部材に置換することができる。
【００７０】
【発明の効果】
以上説明したように本発明は、円滑なスイッチ操作が行え、かつ通常の押圧操作力をもって押しボタン操作を行う場合は勿論のこと、たとえ衝撃力がかかっても、何ら損なわれることなく常に信頼性を確保するなどの効果を奏する。
【図面の簡単な説明】
【図１】本発明の第１の実施の形態に係るエレベータ用の押しボタンスイッチの縦断面図であり、通常の操作力で押した状態と、衝撃力を付与した状態を示す。
【図２】本発明の第２の実施の形態に係るエレベータ用の押しボタンスイッチの縦断面図であり、通常の操作力で押した状態と、衝撃力を付与した状態を示す。
【図３】本発明の第３の実施の形態に係るエレベータ用の押しボタンスイッチの縦断面図であり、通常の操作力で押した状態と、衝撃力を付与した状態を示す。
【図４】従来構造と、本発明構造のばね特性を比較する図。
【図５】従来構造のエレベータ用の押しボタンスイッチの縦断面図であり、通常の操作力で押した状態と、衝撃力を付与した状態を示す。
【図６】一般的なエレベータのかごの概略の構成図。
【符号の説明】
Ｋ…エレベータのかご、ａ…壁面、ｂ…（壁面の）開口部、Ｐ…押しボタン部、Ｔ…スイッチ端子部、８…スイッチ本体、２…回路基板、１２，１２Ａ，１２Ｂ…第１のばね体、１３，１３Ａ，１３Ｂ…第２のばね体、６…ガイド体。
【図１】
2004182396.tif 000003
【図２】
2004182396.tif 000004
【図３】
2004182396.tif 000005
【図４】
2004182396.tif 000006
【図５】
2004182396.tif 000007
【図６】
2004182396.tif 000008